(57)【要約】【課題】電子メールがメールサーバに送信できるか否かを確認するための確認手順を簡略化する。【解決手段】電子メールを送信するための設定値を用いてメールサーバ１１０に電子メールを送信する通信部３００を有し、通信部３００は、入力した設定値を一時的に保持する設定値一時保持部と、テスト指令を受信したときに前記設定値一時保持部で一時的に保持されている設定値を用いてメールサーバ１１０にログイン要求を出力しメールサーバ１１０が送るログイン可否からログイン結果を取得するメール処理部と、を有する。【選択図】図１
2015203930.tif 000002
【特許請求の範囲】
【請求項１】
電子メールを送信するための設定値を用いてメールサーバに電子メールを送信する通信部を有し、
前記通信部は、
入力した前記設定値を一時的に保持する設定値一時保持部と、
テスト指令を受信したときに前記設定値一時保持部で一時的に保持されている前記設定値を用いて前記メールサーバにログイン要求を出力し前記メールサーバが送るログイン可否からログイン結果を取得するメール処理部と、
を有することを特徴とする電子メール通信装置。
【請求項２】
前記通信部は、さらに、前記設定値一時保持部に一時的に保持されている前記設定値を記憶させる設定値記憶部を有し、設定保存指令を受信したときに、前記設定値一時保持部に一時的に保持されている前記設定値を前記設定値記憶部に記憶させることを特徴とする請求項１に記載の電子メール通信装置。
【請求項３】
前記通信部にはユーザのコンピュータと前記メールサーバとが接続され、
前記ユーザのコンピュータから前記通信部に、前記設定値、前記テスト指令及び前記設定保存指令を出力することを特徴とする請求項２に記載の電子メール通信装置。
【請求項４】
前記通信部は、前記ユーザのコンピュータに、前記メール処理部が前記メールサーバからログイン可のログイン結果を取得したときにはテスト成功の報知を行わせ、ログイン否のログイン結果を取得したときにはテスト失敗の報知をテスト失敗の理由とともに行わせることを特徴とする請求項３に記載の電子メール通信装置。
【請求項５】
前記失敗の理由は、少なくとも接続失敗、認証失敗、認証未サポート、暗号化未サポートのいずれか１つであることを特徴とする請求項４に記載の電子メール通信装置。
【請求項６】
前記通信部は、前記ユーザのコンピュータに、前記メール処理部が前記メールサーバから前記ログイン結果を取得するまでの間は、テスト中である旨の報知を行わせることを特徴とする請求項３から５のいずれかに記載の電子メール通信装置。
【請求項７】
前記メール処理部は、前記メールサーバに電子メールを送信するときには、前記設定値記憶部に記憶されている前記設定値を用いて、前記メールサーバに電子メールを送信することを特徴とする請求項３から６のいずれかに記載の電子メール通信装置。
【請求項８】
前記通信部は無停電電源システム、太陽光発電システムを含む監視装置に設けられ、前記監視装置に生じた事象をユーザに電子メールで知らせることを特徴とする請求項１から７のいずれかに記載の電子メール通信装置。
【発明の詳細な説明】
【技術分野】
【０００１】
本発明は、電子メールがメールサーバに送信できるか否かを確認するための確認手順を簡略化した電子メール通信装置に関する。
【背景技術】
【０００２】
従来、無停電電源装置（ＵＰＳ）は、停電などの事象が発生した場合、ＵＰＳ管理者の電子メール受信端末に、発生した事象の内容を知らせる電子メールを送信する。ＵＰＳ管理者は、送信されて来た電子メールの内容を見てＵＰＳに発生した事象を知る。
【０００３】
ＵＰＳ管理者に、停電などの事象の発生を知らせる電子メールを送信できるようにするためには、ＵＰＳ管理者の電子メール受信端末にメールを送るメールサーバのＩＰアドレスなどの設定値を、ＵＰＳに対し設定しておく必要がある。
【０００４】
メールサーバのＩＰアドレスなどの設定を行ったときには、ＵＰＳに設定したメールサーバのＩＰアドレスなどの設定値が正しいか否かを確認する必要がある。ＵＰＳに対する設定が正しいか否かは、ＵＰＳが持つ電子メール通信装置からメールサーバに確認メールを送信し、確認メールがＵＰＳ管理者の電子メール受信端末に届くか否かを確認することによって行う。ＵＰＳ管理者が確認メールを見ることができなければ設定が間違っているということになり、確認メールを見ることができれば設定が正しいということになる。
【０００５】
ＵＰＳに対する設定が正しいか否かの確認は、下記特許文献１に記載されているように、電子メール通信装置とメールサーバとの間の接続テストによって行う。接続テストは、たとえば、次のような手順で行う。
【０００６】
図９は、ＵＰＳのＬＡＮカードからＵＰＳ管理者であるユーザに電子メールを送るためＬＡＮカードとメールサーバとの間で行われる処理手順を示す図である。
【０００７】
ユーザは、ユーザのＰＣ上で、ＵＰＳに取り付けられているＬＡＮカードの設定画面を呼び出し、設定画面上で、電子メールを送信するための、メールサーバのＩＰアドレスなどの設定値を入力する（設定値入力）。ユーザは、設定値の入力が終了したら、設定画面上の設定ボタンを押し下げる（設定ボタン押下）。
【０００８】
設定画面上の設定ボタンが押し下げられると、設定画面上で入力された設定値が、ＬＡＮカードが持つＬＡＮカードデータ設定機能に保存される。このときには、ＬＡＮカードデータ設定機能に保存されていた設定値に設定画面上で入力された設定値が上書きされる（設定保存）。
【０００９】
設定値が保存されたら、ユーザは、確認メールを送信するために、ＬＡＮカードの設定画面上で、別の設定画面に遷移させる指令をし（別画面に遷移）、設定値を入力する設定画面から確認メールを送信する設定画面（送信する事象の選択画面）に遷移させる（画面遷移）。
【００１０】
ユーザが送信する事象の選択画面上のテストボタンを押し下げると（テストボタン押下）、ＬＡＮカードが持つＬＡＮカードユーザインタフェースからＬＡＮカードメール機能に確認メールを送信するための要求を送る（テスト要求）。テスト要求を受けたＬＡＮカードメール機能は、ＬＡＮカードデータ設定機能に保存した設定値を参照し（設定参照）、ＬＡＮカードデータ設定機能は該当する設定値をＬＡＮカードメール機能に出力する（設定値）。
【００１１】
ＬＡＮカードメール機能は、設定値にしたがってメールサーバにログインの要求をし（ログイン要求）、メールサーバは、ＬＡＮカードメール機能にログインの可否を応答する（ログイン可否）。
【００１２】
ＬＡＮカードメール機能は、設定値にしたがってメールサーバに確認メールを送信し（メール送信）、メールサーバはユーザの電子メール受信端末に確認メールを送信する（メール送信）。
【００１３】
ＬＡＮカードメール機能は、送信結果をＬＡＮカードユーザインタフェースに送り（送信結果）、ＬＡＮカードユーザインタフェースは、ユーザのＰＣに送信結果の表示を指令する（結果表示）。ユーザのＰＣの画面には確認メールの送信結果（成功、失敗）が表示される。ユーザはこの画面を見て、ＵＰＳに対するメールサーバの設定が正しく行われたか間違って行われたかを知ることができる。
【先行技術文献】
【特許文献】
【００１４】
【特許文献１】特開２００９−１００４３９号公報
【発明の概要】
【発明が解決しようとする課題】
【００１５】
しかし、上記従来の電子メール通信装置は、ＵＰＳに対する設定値を入力してから確認メールを送信するまでの間に、設定画面を遷移させる回数、ボタン押下げなどのクリック数が多いという問題がある。この問題が生じるのは、設定値の入力は設定画面上で行い、確認メールの送信は送信する事象の選択画面上で行うようになっているからである。
【００１６】
また、設定画面上で入力した設定値はＬＡＮカードデータ設定機能に上書き保存されるため、確認メールの送信テストが失敗したときに、入力した設定値を入力前の設定値に戻そうとしても、ユーザが元の設定値を覚えていない限りは元に戻せないという問題がある。
【００１７】
また、確認メールの送信テストが失敗した場合に、送信結果が「失敗」としか表示されないため、その失敗の理由がわかりにくいという問題がある。
【００１８】
さらに、確認メールを受信するための環境が準備できていない場合や、送信先ユーザが不在でメールの確認ができない場合、テストのためだけにメール受信端末を用意する必要がある。
【００１９】
本発明は上記の問題を解消するために成されたものであり、電子メールがユーザに送信できるか否かを確認するための確認手順を簡略化した電子メール通信装置の提供を目的とする。
【課題を解決するための手段】
【００２０】
上記目的を達成するための本発明に係る電子メール通信装置は、電子メールを送信するための設定値を用いてメールサーバに電子メールを送信する通信部を有し、前記通信部は、入力した前記設定値を一時的に保持する設定値一時保持部と、テスト指令を受信したときに前記設定値一時保持部で一時的に保持されている前記設定値を用いてメールサーバにログイン要求を出力し前記メールサーバが送るログイン可否からログイン結果を取得するメール処理部と、を有する。
【発明の効果】
【００２１】
本発明に係る電子メール通信装置によれば、設定値一時保持部に設定値を一時的に保持させるようにしたので、確認メールを送信せずともメールサーバと正常に通信が行えるか確認できるため、設定画面を遷移させる回数、ボタン押下げなどのクリック数を少なくできるうえに、確認メール受信端末がなくても結果の確認ができ、電子メールが送信できるか否かの確認手順を簡略化できる。
【図面の簡単な説明】
【００２２】
【図１】本実施形態に係る電子メール通信装置周辺の通信システムを示す図である。
【図２】本実施形態に係る通信部のブロック図である。
【図３】図２に示す通信部の動作フローチャートである。
【図４】本実施形態に係る通信部とメールサーバとの間で行われる処理手順を示す図である。
【図５】図４の処理手順を実施する場合の設定画面の一例を示す図である。
【図６】図４に示される処理手順を実施する場合の設定画面の一例に画面遷移するまでの画面と操作の一例を示す図である。
【図７】図４に示される処理手順を実施する場合の設定画面の一例に画面遷移するまでの画面と操作の一例を示す図である。
【図８】図４の処理手順を実施する場合の送信結果の表示例を示す図である。
【図９】ＵＰＳのＬＡＮカードからＵＰＳ管理者であるユーザに電子メールを送るためＬＡＮカードとメールサーバとの間で行われる処理手順を示す図である。
【発明を実施するための形態】
【００２３】
以下に、本実施形態に係る電子メール通信装置について図面を参照しながら詳細に説明する。
【００２４】
[電子メール通信装置周辺の通信システムの構成及び動作]
図１は、本実施形態に係る電子メール通信装置周辺の通信システムを示す図である。通信システム１００は、メールサーバ（ＰＯＰ３サーバ／ＳＭＴＰサーバ）１１０、ネットワーク１２０、ＵＰＳ管理者用ＰＣ１３０、電子メール受信端末１４０、負荷装置（サーバ／ＰＣ）１５０、無停電電源装置（ＵＰＳ）２００によって構成される。ＵＰＳ２００は電子メール通信装置を構成する通信部３００を有する。
【００２５】
メールサーバ１１０、ＵＰＳ管理者用ＰＣ１３０、電子メール受信端末１４０、負荷装置１５０、通信部３００を有するＵＰＳ２００は、ネットワーク１２０を介して相互に接続される。
【００２６】
電子メール受信端末１４０は、メールサーバ１１０から電子メールを受信し、受信したメールの内容を表示する。
【００２７】
ＵＰＳ２００は、たとえばＵＰＳ２００が接続されている電源ラインで停電が発生したときには、接続されている、サーバやパーソナルコンピュータ（ＰＣ）などの負荷装置１５０に、電源ラインに代えてＵＰＳ２００から電源を供給する。
【００２８】
一方、通信部３００は、ＵＰＳ２００が接続されている電源ラインで停電が発生したときに、メールサーバ１１０に対しネットワーク１２０経由で停電発生メールを送信する。メールサーバ１１０は、受信した停電発生メールをネットワーク１２０経由で電子メール受信端末１４０に送信する。ＵＰＳ管理者は、停電発生メールを見て、ＵＰＳ２００の電源ラインが停電していることを知る。
【００２９】
電源ラインに停電が生じたときにＵＰＳ管理者に停電発生メールが届くようにするためには、通信部３００とメールサーバ１１０との間で通信を確立しておく必要がある。
【００３０】
このため、通信部３００にメールサーバ１１０との間の通信を確立するための設定値を記憶させる。設定値とは、具体的には、メールサーバ１１０のＩＰアドレス、ポート番号、認証方式、メール送信アカウント、パスワード、暗号化方式、メール送信遅延時間である。これらの設定値が間違っているとＵＰＳ管理者に停電発生メールが届かない。通信部３００に設定値の設定する場合、通信部３００からメールサーバ１１０に確認メールを送り、メールサーバ１１０との間の通信の確立を確認する。後述する、本実施形態に係る電子メール通信装置は、メールサーバ１１０に確認メールが送信できるか否かの確認手順が簡略化できる。
【００３１】
なお、本実施形態では、通信部３００が無停電電源システムを構成するＵＰＳ２００に内蔵されている場合を例示するが、これに限らず、通信部３００はＵＰＳ２００以外に、たとえば、太陽光発電システムを構成する監視装置に内蔵されていても良い。
【００３２】
[電子メール通信装置の構成]
図２は、本実施形態に係る通信部のブロック図である。電子メール通信装置は通信部３００を備える。通信部３００は、ネットワーク１２０を介してメールサーバ１１０及びＵＰＳ管理者用ＰＣ１３０に接続される。なお、メールサーバ１１０は、ネットワーク１２０を介して電子メール受信端末１４０に接続される。
【００３３】
通信部３００は、ユーザインタフェース３１０、メール処理部３２０、設定値一時保持部３３０、設定値記憶部３４０を有する。
【００３４】
通信部３００は、電子メールを送信するための設定値（たとえば、メールサーバ１１０のＩＰアドレス）を用いてメールサーバ１１０に電子メールを送信する。通信部３００は、ＵＰＳなどの電源装置に設けられ、電源装置に生じた事象をＵＰＳ管理者に電子メールで知らせる。
【００３５】
ユーザインタフェース３１０は、通信部３００とＵＰＳ管理者用ＰＣ１３０との間のインタフェースとして機能する。
【００３６】
メール処理部３２０は、ＵＰＳ管理者用ＰＣ１３０が出力するテスト指令を受信したときに、設定値一時保持部３３０に一時的に保持されている設定値を用いてメールサーバ１１０にログイン要求を出力する。メールサーバ１１０が送るログイン可否からログイン結果を取得する。
【００３７】
設定値一時保持部３３０は、ＵＰＳ管理者用ＰＣ１３０によって設定された設定値を一時的に保持する。
【００３８】
設定値記憶部３４０は、ＵＰＳ管理者用ＰＣ１３０から出力される設定保存指令を受信したときに、設定値一時保持部３３０に一時的に保持されていた設定値を記憶させる。
【００３９】
ＵＰＳ管理者用ＰＣ１３０は、通信部３００に、設定値、テスト指令及び設定保存指令を出力する。
【００４０】
通信部３００は、メール処理部３２０がメールサーバ１１０からログイン可のログイン結果を取得したときには、ＵＰＳ管理者用ＰＣ１３０にテスト成功の報知をする。また、通信部３００は、ログイン否のログイン結果を取得したときには、ＵＰＳ管理者用ＰＣ１３０にテスト失敗の報知をテスト失敗の理由とともにする。失敗の理由は、少なくとも接続失敗、認証失敗、認証未サポート、暗号化未サポートのいずれか１つである。
【００４１】
通信部３００は、メール処理部３２０がメールサーバ１１０からログイン結果を取得するまでの間は、ＵＰＳ管理者用ＰＣ１３０にテスト中である旨の報知をする。テスト中である旨の報知は、たとえば、テスト中の文字を１秒おきに点滅させる。
【００４２】
[電子メール通信装置の動作]
次に、本実施形態に係る電子メール通信装置の動作を、図３から図８を参照しながら説明する。図３は、図２に示す通信部の動作フローチャートであり、図４は、本実施形態に係る通信部とメールサーバとの間で行われる処理手順を示す図である。図５から図８は、図３の処理手順を実施する場合の設定画面の一例を示す図である。
【００４３】
まず、通信部３００の概略の動作を説明する。図３に示すように、通信部３００は、ユーザが指定した設定値を、ユーザインタフェース３１０を介して入力する（ステップＳ１００）。メール処理部３２０は、入力した設定値を、設定値一時保持部３３０に、一時的に保持させる（ステップＳ１０１）。ユーザは、設定画面に表示されるボタンを押し下げる（ステップＳ１０２）。
【００４４】
メール処理部３２０は、ステップＳ１０２で押下げたボタンがどのボタンであるかを判断する（ステップＳ１０３）。
【００４５】
ステップＳ１０２で押下げたボタンが「ＳＭＴＰサーバチェックボタン」であったときには（Ｓ１０３：ＳＭＴＰサーバチェックボタン押下）、メールサーバ１１０のＳＭＴＰサーバにログイン要求をする（ステップＳ１０４）。
【００４６】
ステップＳ１０２で押下げたボタンが「ＰＯＰ３サーバチェックボタン」であったときには（Ｓ１０３：ＰＯＰ３サーバチェックボタン押下）、メールサーバ１１０のＰＯＰ３サーバにログイン要求をする（ステップＳ１０５）。
【００４７】
メール処理部３２０は、ステップＳ１０４で行ったＳＭＴＰサーバへのログイン要求、または、ステップＳ１０５で行ったＰＯＰ３サーバへのログイン要求に対し、ログインが成功したか否かを判断する（ステップＳ１０６）。
【００４８】
ステップ１０６でログインが成功したと判断されたときには（ステップＳ１０６：ＹＥＳ）、通信部３００は表示画面にテスト成功を表示させる（ステップＳ１０７）。一方、ステップ１０６でログインが失敗したと判断されたときには（ステップＳ１０６：ＮＯ）、通信部３００は表示画面にテスト失敗と失敗した理由を表示させる（ステップＳ１０８）。ステップＳ１０７またはステップＳ１０８の処理が終了したら、ステップＳ１０２の処理に戻り、ステップＳ１０２からステップＳ１０８までの処理を繰り返す。
【００４９】
ステップＳ１０２で押下げたボタンが「ＯＫボタン」であったときには（Ｓ１０３：ＯＫボタン押下）、メール処理部３２０は、設定値一時保持部３３０に一時的に保持されている設定値を、設定値記憶部３４０に上書き保存させる（ステップＳ１０９）。
【００５０】
さらに、電子メール通信装置の動作を詳しく説明する。図４の保存処理シーケンスで示すように、ユーザは、ＵＰＳ管理者用ＰＣ１３０を用いて通信部３００と接続する。ＵＰＳ管理者用ＰＣ１３０がＷｅｂブラウザを用い通信部３００のユーザインタフェース３１０にアクセスすると、メール処理部３２０は、ＵＰＳ管理者用ＰＣ１３０の画面に図６に示すような設定画面を表示させる。
【００５１】
ユーザは、この設定画面に表示されている、基本設定のボタンを、図６に示すようにクリックする。メール処理部３２０は、ユーザインタフェース３１０を介して基本設定のボタンのクリックを認識し、ＵＰＳ管理者用ＰＣ１３０の画面に図７に示すような基本設定の画面を表示させる。
【００５２】
なお、図７に示されているＵＰＳ２００の、ＩＰｖ４及びＩＰｖ６のＩＰアドレス、サブネットマスク、デフォルトゲートウェイ、ＤＮＳサーバ、設置場所及びコメントなどの設定値はあらかじめ正常な値がユーザにより設定されているものとする。
【００５３】
ユーザは、基本設定の画面に表示されているメール設定のボタンを、図７に示すようにクリックする。メール処理部３２０は、ユーザインタフェース３１０を介してメール設定のボタンのクリックを認識し、ＵＰＳ管理者用ＰＣ１３０の画面に図５に示すようなメールサーバ設定の画面を表示させる。
【００５４】
ユーザは、図５に示すメールサーバ設定の画面上で、ＵＰＳ２００のＥ-ｍａｉｌアドレス、ＳＭＴＰサーバのＩＰアドレス、ポート番号、認証方式、メール送信アカウント、パスワード、暗号化方式、メール送信遅延時間の設定値を入力する。また、ＰＯＰ３サーバのＩＰアドレス、ポート番号、認証方式、受信メールアカウント、パスワード、暗号化方式の設定値を入力する（設定値入力）。これらの設定値は、設定値一時保持部３３０で一時的に保持する。
【００５５】
ユーザは、上記の設定値の入力が完了したら、ＳＭＴＰサーバチェックまたはＰＯＰ３サーバチェックのボタンをクリックする（テスト処理シーケンスの「テストボタン押下」）。ＳＭＴＰサーバチェックまたはＰＯＰ３サーバチェックのボタンがクリックされると、テスト指令が出力される（テスト処理シーケンスの「テスト要求と設定値」）。
【００５６】
メール処理部３２０は、ユーザインタフェース３１０を介してＳＭＴＰサーバチェックまたはＰＯＰ３サーバチェックのボタンのクリックを認識し、ＬＡＮカードメール機能を用いて、メールサーバ１１０にログインの要求をする（テスト処理シーケンスの「ログイン要求」）。
【００５７】
通信部３００は、ＵＰＳ管理者用ＰＣ１３０の画面に図８に示すようなメールサーバ設定の画面を表示させ、ＳＭＴＰサーバチェック中であるときには、画面の左下に、ＳＭＴＰサーバチェック中の文字を表示し、その文字を一秒周期で点滅させる。また、ＰＯＰ３サーバチェック中であるときには、画面の左下に、ＰＯＰ３サーバチェック中の文字を表示し、その文字を一秒周期で点滅させる。ユーザは、画面に表示されているこれらの文字を見て、サーバチェック中であることが認識できる。つまり、ＵＰＳ管理者用ＰＣ１３０は、通信部３００がメールサーバ１１０からログイン結果を取得するまでの間は、テスト中である旨の報知をする。
【００５８】
メールサーバ１１０は、通信部３００に、ログインの可否の結果を送信する（テスト処理シーケンスの「ログイン可否」）。メール処理部３２０は、ユーザインタフェース３１０を介して、ログインの可否の結果を出力する（テスト処理シーケンスの「ログイン結果」）。
【００５９】
メール処理部３２０は、ＬＡＮカードメール機能を用いて、メールサーバ１１０から送信されたログイン結果を、図８に示すようなメールサーバ設定の画面に表示させる。ＳＭＴＰサーバテストが成功した場合には、画面の左下に、ＳＭＴＰサーバテスト成功の文字を、ＳＭＴＰサーバテストが失敗した場合には、ＳＭＴＰサーバテスト失敗の文字とその失敗理由を表示させる。ＰＯＰ３サーバテストが成功した場合には、画面の左下に、ＰＯＰ３サーバテスト成功の文字を、ＰＯＰ３サーバテストが失敗した場合には、ＰＯＰ３サーバテスト失敗の文字とその失敗理由を表示させる。失敗の理由は、少なくとも、接続失敗、認証失敗、認証未サポート、暗号化未サポートのいずれか１つである（テスト処理シーケンスの「結果表示」）。
【００６０】
ユーザは、ＳＭＴＰサーバテストまたはＰＯＰ３サーバテストが成功した場合には、図８の画面上の設定ボタンをクリックする（保存処理シーケンスの「設定ボタン押下」）。設定ボタンをクリックすると設定保存指令が出力される。
【００６１】
ユーザインタフェース３１０は、設定ボタンのクリックを認識し、設定保存指令が出力される（保存処理シーケンスの「設定保存」）。
【００６２】
設定値記憶部３４０は、設定値一時保持部３３０に一時的に保持されていた設定値を、設定値記憶部３４０に上書きする。以降、メール処理部３２０は、メールサーバ１１０に電子メールを送信するときには、設定値記憶部３４０に記憶されている設定値を用いて、電子メールを送信させる。
【００６３】
このように、本実施形態に係る電子メール通信装置では、図９に示した従来の処理手順に比較して、より少ない処理手順で、確認メールの設定をできるようにしてあるので、ＵＰＳに対する設定値を入力してから確認メールを送信するまでの間に、設定画面を遷移させる回数、ボタン押下げなどのクリック数を少なくできる。
【００６４】
また、設定画面上で入力した設定値は一時的に保持されるようにし、テスト結果を見てからＬＡＮカードデータ設定機能に上書き保存されるようにしてあるので、確認メールの送信テストが失敗したときでも、ＬＡＮカードデータ設定機能上の設定値は消えることはない。
【００６５】
また、確認メールの送信テストが失敗した場合に、送信結果が「失敗」した理由が表示されるので、失敗したことの対策が取りやすくなる。
【００６６】
以上のように、本発明によれば、電子メールがメールサーバに送信できるか否かを確認するための確認手順を簡略化できる。
【００６７】
本実施形態では、ＵＰＳを例示して電子メール通信装置の動作を説明した。しかし、ＵＰＳ以外にも、太陽光発電システムなどの監視装置においても、本発明に係る電子メール通信装置を適用することができる。
【符号の説明】
【００６８】
１００  通信システム、
１１０  メールサーバ、
１２０  ネットワーク、
１３０  ＵＰＳ管理者用ＰＣ、
１４０  電子メール受信端末、
１５０  負荷装置、
２００  無停電電源装置（ＵＰＳ）
３００  通信部、
３１０  ユーザインタフェース、
３２０  メール処理部、
３３０  設定値一時保持部、
３４０設定値記憶部。
【図１】
2015203930.tif 000003
【図２】
2015203930.tif 000004
【図３】
2015203930.tif 000005
【図４】
2015203930.tif 000006
【図５】
2015203930.tif 000007
【図６】
2015203930.tif 000008
【図７】
2015203930.tif 000009
【図８】
2015203930.tif 000010
【図９】
2015203930.tif 000011